(57)【要約】【課題】  円筒状の構造を有する円筒状パズルを提供する。【解決手段】  両端に開口を有する中空の円筒体を有し、上端に突出縁が一体形成されると共に、該突出縁の下側に嵌合リングが設けられ、円筒体の下端に底蓋が設けられると共に、該底蓋の外縁に嵌合リングに対応する嵌合溝が形成され、円筒体の外側に嵌合リング又は嵌合溝と嵌合すると共に、互いに摺動自在な複数枚のパズルユニットが設けられることを特徴とする。【選択図】  図２
0003109575.tif 000002
【実用新案登録請求の範囲】
【請求項１】
両端に開口を有する中空の円筒体を有し、上端に突出縁が一体形成されると共に、該突出縁の下側に嵌合リングが設けられ、円筒体の下端に底蓋が設けられると共に、該底蓋の外縁に嵌合リングに対応する嵌合溝が形成され、円筒体の外側に嵌合リング又は嵌合溝と嵌合すると共に、互いに摺動自在な複数枚のパズルユニットが設けられることを特徴とする円筒状パズル。
【請求項２】
前記パズルユニットは四方形の前ユニットピース及び後ユニットピースからなると共に、相隣の両側に嵌合プレートと嵌合溝が設けられ、後ユニットピースが二枚の等しい四方形ピースから上下ずれるように一体形成されると共に、下方におけるピースに係止孔が形成され、前ユニットピースの内側に後ユニットピースの係止孔と係止する係止ブロックが設けられるると共に、外側に図形又は写真の一部を設けられ、
前記嵌合プレートと嵌合溝の嵌合することによって各パズルユニットを組み合せ、そして、上側におけるパズルユニットの嵌合溝と円筒体の嵌合リング及び、下側におけるパズルユニットの嵌合プレートと円筒体の嵌合溝との嵌合することにより、各パズルユニットを円筒体の外側に設置することを特徴とする請求項１に記載の円筒体パズル。
【請求項３】
前記円筒体における突出縁の上に長方形孔を有する上蓋が設けられ、円筒体の外側に円筒体の円心と平行するリブが設けられると共に、リブの付近に固定孔が形成され、その一枚のパズルユニットの内側に該固定孔に挿入する固定ブロックが設けられることを特徴とする請求項１又は２に記載の円筒状パズル。
【請求項４】
前記リブは互いにずれる上部のリブと下部のリブからなり、前記上部のリブの付近に固定孔が形成されることを特徴とする請求項３に記載の円筒状パズル。
【考案の詳細な説明】
【技術分野】
【０００１】
本考案は、特に円筒状の構造を有する円筒状パズルに関するものである。
【背景技術】
【０００２】
従来のパズルは複数枚のパズルユニットを有し、これらのパズルユニットを組み合せた後、平面状の図形、写真などにするものである。パズルを組み合せることにより、形状や色の組合わせや論理的に物事を考えていく訓練をを行うことができる。
【考案の開示】
【考案が解決しようとする課題】
【０００３】
しかしながら、前記従来のパズルは単に平面状の構造であるため、装飾効果に優れなく、又、平面状のパズルを完成させた後も、図形、又は写真として使用しかないので、その他の使用効果を有しない。
【０００４】
そこで、案出されたのが本考案であって、円筒状の構造を有する円筒状パズルを提供することを目的としている。
【課題を解決するための手段】
【０００５】
本願の請求項１の考案は、両端に開口を有する中空の円筒体を有し、上端に突出縁が一体形成されると共に、該突出縁の下側に嵌合リングが設けられ、円筒体の下端に底蓋が設けられると共に、該底蓋の外縁に嵌合リングに対応する嵌合溝が形成され、円筒体の外側に嵌合リング又は嵌合溝と嵌合すると共に、互いに摺動自在な複数枚のパズルユニットが設けられることを特徴とする円筒状パズル及び、
本願の請求項２の考案は、前記パズルユニットは四方形の前ユニットピース及び後ユニットピースからなると共に、相隣の両側に嵌合プレートと嵌合溝が設けられ、後ユニットピースが二枚の等しい四方形ピースから上下ずれるように一体形成されると共に、下方におけるピースに係止孔が形成され、前ユニットピースの内側に後ユニットピースの係止孔と係止する係止ブロックが設けられるると共に、外側に図形又は写真の一部を設けられ、
前記嵌合プレートと嵌合溝の嵌合することによって各パズルユニットを組み合せ、そして、上側におけるパズルユニットの嵌合溝と円筒体の嵌合リング及び、下側におけるパズルユニットの嵌合プレートと円筒体の嵌合溝との嵌合することにより、各パズルユニットを円筒体の外側に設置することを特徴とする請求項１に記載の円筒体パズル及び、
本願の請求項３の考案は、前記円筒体における突出縁の上に長方形孔を有する上蓋が設けられ、円筒体の外側に円筒体の円心と平行するリブが設けられると共に、リブの付近に固定孔が形成され、その一枚のパズルユニットの内側に該固定孔に挿入する固定ブロックが設けられることを特徴とする請求項１又は２に記載の円筒状パズル及び、
本願の請求項４の考案は、前記リブは互いにずれる上部のリブと下部のリブからなり、前記上部のリブの付近に固定孔が形成されることを特徴とする請求項３に記載の円筒状パズル、を提供する。
【考案の効果】
【０００６】
本考案は上記の課題を解決するものであり、両端に開口を有する中空の円筒体を有し、上端に突出縁が一体形成されると共に、該突出縁の下側に嵌合リングが設けられ、円筒体の下端に底蓋が設けられると共に、該底蓋の外縁に嵌合リングに対応する嵌合溝が形成され、円筒体の外側に嵌合リング又は嵌合溝と嵌合すると共に、互いに摺動自在な複数枚のパズルユニットが設けられることにより、円筒状の構造を有するパズルになることができ、又、上蓋を配合することにより、本考案の円筒状パズルはペン立て又は貯金箱として使用することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る円筒状パズルの第１実施例を示す斜視図であり、図２は本考案に係る円筒状パズルの第１実施例を示す分解斜視図であり、図３は本考案に係る円筒状パズルの第１実施例の円筒体を示す断面図であり、図４は本考案に係る円筒状パズルの第２実施例を示す斜視図であり、図５は本考案に係る円筒状パズルの第２実施例を示す分解斜視図であり、図６は本考案に係る円筒状パズルの第３実施例を示す分解斜視図である。
【実施例１】
【０００９】
図１乃至図３に示すように、本考案に係る円筒状パズルの第１実施例は、両端に開口を有する中空の円筒体（１０）を有し、上端に突出縁（１１）が一体形成されると共に、該突出縁（１１）の下側に嵌合リング（１２）が設けられ、円筒体（１０）の下端に底蓋（１３）が設けられると共に、該底蓋（１３）の外縁に嵌合リング（１２）に対応する嵌合溝（１４）が形成され、円筒体（１０）の外側に嵌合リング（１２）又は嵌合溝（１４）と嵌合すると共に、互いに摺動自在な複数枚のパズルユニット（２０）が設けられる。
【００１０】
前記パズルユニット（２０）は四方形前ユニットピース（２１）及び後ユニットピース（２２）からなると共に、相隣の両側に嵌合プレート（２３）と嵌合溝（２４）が設けられ、後ユニットピース（２２）が二枚の等しい四方形ピースから上下ずれるように一体形成されると共に、下方におけるピースに係止孔（２５）が形成され、前ユニットピース（２１）の内側に後ユニットピース（２２）の係止孔（２５）と係止する係止ブロック（２６）が設けられるると共に、外側に図形又は写真の一部を設けられる。
【００１１】
本考案の円筒状パズルの第１実施例を使用する場合、嵌合プレート（２３）と嵌合溝（２４）の嵌合することによって各パズルユニット（２０）を組み合せ、そして、上側におけるパズルユニット（２０）の嵌合溝（２４）と円筒体（１０）の嵌合リング（１２）及び、下側におけるパズルユニット（２０）の嵌合プレート（２３）と円筒体（１０）の嵌合溝（１４）との嵌合することにより、各パズルユニット（２０）を円筒体（１０）の外側に設置する。
【００１２】
又、その一枚のパズルユニット（２０）を取り外すことにより、本考案の円筒状パズルをマジックキュービックのように遊んで、各パズルユニット（２０）を互いに摺動することができる。又、本考案の第１実施例の円筒体（１０）はペン立てとして使用することができる。
【実施例２】
【００１３】
図４及び図５に示すように、本考案に係る円筒体パズルの第２実施例は前記第１実施例と殆ど等しく、異なるのは円筒体（１０）における突出縁（１１）の上に長方形孔（１６）を有する上蓋（１５）が設けられ、円筒体（１０）の外側に円筒体（１０）の円心と平行するリブ（１７）が設けられると共に、リブ（１７）の付近に固定孔（１８）が形成され、その一枚のパズルユニット（２０）の内側に該固定孔（１８）に挿入する固定ブロック（２７）が設けられる。
【００１４】
前記本考案に係る円筒状パズルの第２実施例は貯金箱として使用することができ、又、全てのパズルユニット（２０）を組み合せた後、固定ブロック（２７）を有するパズルユニット（２０）を円筒体（１０）の固定孔（１８）に取り付けることにより、各パズルユニット（２０）を移動不可能に固定する。又、円筒体（１０）の外側にリブ（１７）が設けられることにより、各パズルユニット（２０）の移動範囲を制限するので、平面状パズルの遊び方法のように円筒状パズルを遊ぶことができる。
【実施例３】
【００１５】
又、図６に示すように、本考案に係る円筒状パズルの第３実施例は、前記第２実施例と殆ど等しく、異なるのは、円筒体（１０）の外側に円筒体（１０）の円心と平行すると共に、互いにずれる二本のリブ（１７）が設けられることにより、前記第２実施例と等しい効果を達成することができる。
【産業上の利用可能性】
【００１６】
本考案は上記の構成を有するので、両端に開口を有する中空の円筒体を有し、上端に突出縁が一体形成されると共に、該突出縁の下側に嵌合リングが設けられ、円筒体の下端に底蓋が設けられると共に、該底蓋の外縁に嵌合リングに対応する嵌合溝が形成され、円筒体の外側に嵌合リング又は嵌合溝と嵌合すると共に、互いに摺動自在な複数枚のパズルユニットが設けられることにより、円筒状の構造を有するパズルになることができ、又、上蓋を配合することにより、本考案の円筒状パズルはペン立て又は貯金箱として使用することができる。
【図面の簡単な説明】
【００１７】
【図１】本考案に係る円筒状パズルの第１実施例を示す斜視図である。
【図２】本考案に係る円筒状パズルの第１実施例を示す分解斜視図である。
【図３】本考案に係る円筒状パズルの第１実施例の円筒体を示す断面図である。
【図４】本考案に係る円筒状パズルの第２実施例を示す斜視図である。
【図５】本考案に係る円筒状パズルの第２実施例を示す分解斜視図である。
【図６】本考案に係る円筒状パズルの第３実施例を示す分解斜視図である。
【符号の説明】
【００１８】
１０        円筒体
１１        突出縁
１２        嵌合リング
１３        底蓋
１４        嵌合溝
１５        上蓋
１６        長方形孔
１７        リブ
１８        固定孔
２０        パズルユニット
２１        前ユニットピース
２２        後ユニットピース
２３        嵌合プレート
２４        嵌合溝
２５        係止孔
２６        係止ブロック
２７        固定ブロック
【図１】
0003109575.tif 000003
【図２】
0003109575.tif 000004
【図３】
0003109575.tif 000005
【図４】
0003109575.tif 000006
【図５】
0003109575.tif 000007
【図６】
0003109575.tif 000008